(57)【特許請求の範囲】
【請求項１】
前輪、ハンドル及びペダルを含む前部と後輪及び座席を含む後部とを車幅の２分の１以下の幅の狭いシャーシーで連結してなる自転車において、自転車の前輪の前方を含んでハンドル及びペダルを覆う前部カバー体と自転車の後輪の後方を含んで座席の後部を覆う後部カバー体とを、少なくとも運転者の乗降側の天井部において連結することなく独立に自転車に固定すると共に、前部カバー体と後部カバー体との間に運転者の乗降及び押し歩き用に天井カバー体を着脱可能に設けたカバー体付自転車。
【請求項２】
請求項１に記載のカバー体付自転車において、前部カバー体及び後部カバー体から天井カバー体を離脱可能に設け、離脱した天井カバー体を、前部カバー体又は後部カバー体に着脱自在に取り付け可能に設けたカバー体付自転車。
【請求項３】
請求項１又は２に記載のカバー体付自転車において、天井カバー体を前部カバー体又は後部カバー体に対して旋回アームを介して旋回可能に設けたカバー体付自転車。
【請求項４】
請求項１又は２に記載のカバー体付自転車において、天井カバー体を前部カバー体又は後部カバー体に対してスライド可能に設けたカバー体付自転車。
【請求項５】
請求項１に記載のカバー体付自転車において、天井カバー体を、前部カバー体及び後部カバー体に対して折り畳み可能に設けたカバー体付自転車。
【請求項６】
請求項１乃至５のいずれか１項に記載のカバー体付自転車において、前部カバー体、後部カバー体及び天井カバー体に運転者の側面を覆う側面カバー体を着脱可能に設けてなるカバー体付自転車。
【請求項７】
請求項６に記載のカバー体付自転車において、天井カバー体に運転者の側面を覆う側面カバー体を巻き上げ収納可能に設けてなるカバー体付自転車。
【発明の詳細な説明】
【０００１】
【発明の属する技術分野】
この発明はカバー体付自転車に関するものである。
【０００２】
【従来の技術】
従来、オートバイやスクーター等の二輪車の運転者を、前後部と天井部のあるカバー体で覆うカバー体付二輪車は知られている（特許文献１参照）。また、二輪車の運転者を、前後部と天井部と左右のドアー状のカバー体で覆うカバー体付二輪車も知られている（特許文献２参照）。
【特許文献１】
特開平１０−２５８７８３
【特許文献２】
特開昭５９−１９９３８３
【０００３】
【発明が解決しようとする課題】
従来のオートバイ等のカバー体には、天井カバー体があるため、或は側面に天井カバー体を支持する梁、或はドアーのような側壁が装着されており、且つ、天井カバー体が人体より低い位置にあるから、カバー体の天井部、或は梁、或は側壁が障害となり、自転車に乗降する時、姿勢を低くして窮屈に乗降しなければならない欠点があると共に、押し歩く時は、自転車の外側に運転者が幅広くはみ出して押し難いのみならず、狭い歩道では、人や物とすれ違うのが難しい欠点があった。
【０００４】
【課題を解決するための手段】
そこで、本発明は、請求項１に記載のように、前輪、ハンドル及びペダルを含む前部と後輪及び座席を含む後部とを車幅の２分の１以下の幅の狭いシャーシーで連結してなる自転車において、自転車の前輪の前方を含んでハンドル及びペダルを覆う前部カバー体と自転車の後輪の後方を含んで座席の後部を覆う後部カバー体とを、少なくとも運転者の乗降側の天井部において連結することなく独立に自転車に固定すると共に、前部カバー体と後部カバー体との間に運転者の乗降及び押し歩き用に天井カバー体を着脱可能に設けたカバー体付自転車を提供するものである。
【０００５】
本発明によれば、自転車カバー体の前後部のカバー体から天井カバー体を取り外すことにより、少なくとも運転者の乗降側の天井部が無くなるから、自転車に乗降する時、立った姿勢のまま乗降することができるのみならず、押し歩く時には、カバー体の内側に体を入れることができるから自転車の外側に運転者が幅広くはみ出すことはなくなり、狭い歩道でも、人や物と容易にすれ違うことができる。
【０００６】
また、本発明は、請求項２に記載のように、請求項１に記載のカバー体付自転車において、前部カバー体及び後部カバー体から天井カバー体を離脱可能に設け、離脱した天井カバー体を、前部カバー体又は後部カバー体に着脱自在に取り付け可能に設けたカバー体付自転車を提供するものである。
本発明によれば、離脱した天井カバー体を、前部カバー体又は後部カバー体に着脱自在に取り付け、自転車を使用することができる。
【０００７】
また、本発明は、請求項３に記載のように、請求項１又は２に記載のカバー体付自転車において、天井カバー体を前部カバー体又は後部カバー体に対して揺動部材を介して旋回可能に設けたカバー体付自転車を提供するものである。
本発明によれば、天井カバー体を簡単に旋回して前部カバー体又は後部カバー体に対して着脱することができる。
【０００８】
また、本発明は、請求項４に記載のように、請求項１又は２に記載のカバー体付自転車において、天井カバー体を前部カバー体又は後部カバー体に対してスライド可能に設けたカバー体付自転車を提供するものである。
本発明によれば、天井カバー体を簡単にスライドして前部カバー体又は後部カバー体に対して着脱することができる。
【０００９】
また、本発明は、請求項５に記載のように、請求項１に記載のカバー体付自転車において、天井カバー体を、前部カバー体及び後部カバー体に対して折り畳み可能に設けたカバー体付自転車を提供するものである。
本発明によれば、天井カバー体を、前部カバー体及び後部カバー体に対して折り畳むことによって、本来の天井部の位置から除去することができる。
【００１０】
また、本発明は、請求項６に記載のように、請求項１乃至５のいずれかに記載のカバー体付自転車において、前部カバー体、後部カバー体及び天井カバー体に運転者の側面を覆う側面カバー体を着脱可能に設けてなるカバー体付自転車を提供するものである。
本発明によれば、運転者の側面を覆う側面カバー体を着脱して取り付け自転車を使用することができる。
【００１１】
また、本発明は、請求項７に記載のように、請求項６に記載のカバー体付自転車において、天井カバー体に運転者の側面を覆う側面カバー体を巻き上げ収納可能に設けてなるカバー体付自転車を提供するものである。
本発明によれば、天井カバー体に運転者の側面を覆う側面カバー体を巻き上げ収納して開閉することができるのみならず、側面カバー体を天井カバー体に収納して一体に着脱自在にすることができる。
【００１２】
【発明の実施の形態】
以下図示する実施例により本発明の実施形態について説明する。
図１乃至図３に記載の実施例において、１は前方窓部３を一体に具備する前部カバー体で、自転車本体３０のハンドル軸２に突設した前部固定部１５と、シャーシー３１の前下部の左右に突設した前部固定部１６との３点支持により、一体に固定してある。
１４は後方窓部７を一体に具備する後部カバー体で、自転車本体３０のシャーシー３１の後部の座席３２の後方２個所に左右に突設して設けた後部固定部１７、１８に４点支持により、一体に固定してある。
【００１３】
自転車本体３０は、この状態で、図３に記載のように、前部カバー体１と後部カバー体１４によって、それぞれ相対する縁部３３，３４の間が開放した状態で覆われており、運転者４０は、カバー体に邪魔されることなく、図３及び図４に記載のように、自転車本体３０に寄り添って押し歩くことができる。
図示の実施例の場合、天井カバー体４は、前後４個所を天井カバー前フック１９と、天井カバー後フック２０に引っ掛け、カバー体の天井部位置に着脱可能にセットしてある。
【００１４】
また、図１又は図２の実施例の場合、移動した天井カバー体４を、後部カバー体１４の背後に設けた天井カバー固定具９、１０に安定した状態で装着することができるように構成してある。
この場合、天井カバー体４を、後部カバー体１４の両側に旋回軸８を中心に旋回自在に設けた旋回アーム６の先端部に連結軸５によって回転自在に連結する構成にすることにより、旋回アーム６の旋回に伴って、天井カバー体４を両側に設けた天井カバー固定具９、１０により安定した状態で装着することができる。１３は後部カバー体１４の側面に設けた旋回アーム６のアームガイド溝である。
【００１５】
また、天井カバー体４を、前部カバー体１又は後部カバー体１４の湾曲形状に連続可能な湾曲形状に構成するか、又は、前部カバー体１又は後部カバー体１４の湾曲形状に沿って湾曲自在な構造に構成することによって、天井カバー体４を前部カバー体１又は後部カバー体１４の湾曲形状に沿ってスライドして、前記天井カバー固定具９、１０に移動して安定した状態で装着することができるように構成することも可能である。
【００１６】
次に、図２に記載の実施例では、天井カバー体４の両側に、運転者の側面を覆う側面カバー体３５を巻き上げ収納可能にする側面カバー巻取軸１１が設けてあり、必要時には、側面カバー巻取軸１１を巻き戻して、側面カバー体３５を垂下し、前部カバー体１及び後部カバー体１４の縁部３３，３４に、ボタン、フック、面ファスナー、スライドファスナー等の適宜な着脱固定手段により固定して使用し、不要時には、着脱固定を解除してから側面カバー巻取軸１１を巻き戻して、図２に記載のように、巻取り、カバー収納蓋１２を閉じて、天井カバー体４と一体化することができる。
【００１７】
なお、側面カバー体３５は、前部カバー体、後部カバー体及び天井カバー体にそれぞれ前記同様の着脱固定手段により着脱可能に固定し、不要時には、取り外して折り畳んで天井カバー体３５の内側等に保管するように構成することも可能である。
図５に記載の実施例の場合、天井カバー体４は、進行方向の中央部に位置する折り畳みヒンジ軸２２を中心に固定側カバー部２３と移動側カバー部２４とに折り畳み可能に構成してあり、固定側カバー部２３の側端部は固定ローラ２１により、相対する前部カバー体１と後部カバー体１４に回転可能に取り付けてあると共に、移動側カバー部２４の側端部は、移動ローラ２５が相対する前部カバー体１と後部カバー体１４に設けたスライド溝２６に沿って移動可能に取り付けてあり、不要時には、図５に破線で示すように、折り畳んで、乗降又は押し歩くことが可能である。
【００１８】
図５において、２７は固定側ローラ２１の操作取っ手、２８は移動側ローラ２５の操作取っ手である。なお、固定側ローラ２１を移動し、移動側ローラ２５を固定した関係で逆に天井カバー体４を折り畳み、運転者が反対側から乗降し、押し歩くように構成することも、操作取っ手２７，２８により、任意に乗降方向を選択して天井カバー体を折り畳むことも可能である。
その他、図において、２９はペダル、３６は前輪、３７は後輪、３８はハンドルである。
【００１９】
【発明の効果】
以上の通り、本発明に係るカバー体付自転車によれば、請求項1に記載のように、前輪、ハンドル及びペダルを含む前部と後輪及び座席を含む後部とを車幅の２分の１以下の幅の狭いシャーシーで連結してなる自転車において、自転車の前輪の前方を含んでハンドル及びペダルを覆う前部カバー体と自転車の後輪の後方を含んで座席の後部を覆う後部カバー体とを、少なくとも運転者の乗降側の天井部において連結することなく独立に自転車に固定すると共に、前部カバー体と後部カバー体との間に運転者の乗降及び押し歩き用に天井カバー体を着脱可能に設けた構成を有することにより、自転車カバー体の前後部のカバー体から天井カバー体を取り外すことにより、少なくとも運転者の乗降側の天井部が無くなるから、自転車に乗降する時、立った姿勢のまま乗降することができるのみならず、押し歩く時には、カバー体の内側に体を入れることができるから自転車の外側に運転者が幅広くはみ出すことはなくなり、狭い歩道でも、人や物と容易にすれ違うことができる効果がある。
【００２０】
また、本発明は、請求項２に記載のように、請求項１に記載のカバー体付自転車において、前部カバー体及び後部カバー体から天井カバー体を離脱可能に設け、離脱した天井カバー体を、前部カバー体又は後部カバー体に着脱自在に取り付け可能に設けた構成を有することにより、離脱した天井カバー体を、前部カバー体又は後部カバー体に着脱自在に取り付け、自転車を使用することができる効果がある。
【００２１】
また、本発明は、請求項３に記載のように、請求項１又は２に記載のカバー体付自転車において、天井カバー体を前部カバー体又は後部カバー体に対して揺動部材を介して旋回可能に設けた構成を有することにより、天井カバー体を簡単に旋回して前部カバー体又は後部カバー体に対して着脱することができる効果がある。
【００２２】
また、本発明は、請求項４に記載のように、請求項１又は２に記載のカバー体付自転車において、天井カバー体を前部カバー体又は後部カバー体に対してスライド可能に設けた構成を有することにより、天井カバー体を簡単にスライドして前部カバー体又は後部カバー体に対して着脱することができる効果がある。
【００２３】
また、本発明は、請求項５に記載のように、請求項１に記載のカバー体付自転車において、天井カバー体を、前部カバー体及び後部カバー体に対して折り畳み可能に設けた構成を有することにより、天井カバー体を、前部カバー体及び後部カバー体に対して折り畳むことによって、本来の天井部の位置から除去することができると共に、簡単に天井部に復帰させることができる効果がある。
【００２４】
また、本発明は、請求項６に記載のように、請求項１乃至５のいずれかに記載のカバー体付自転車において、前部カバー体、後部カバー体及び天井カバー体に運転者の側面を覆う側面カバー体を着脱可能に設けてなる構成を有することにより、運転者の側面を覆う側面カバー体を着脱して取り付け自転車を使用することができる効果がある。
【００２５】
また、本発明は、請求項７に記載のように、請求項６に記載のカバー体付自転車において、天井カバー体に運転者の側面を覆う側面カバー体を巻き上げ収納可能に設けてなる構成を有することにより、天井カバー体に運転者の側面を覆う側面カバー体を巻き上げ収納して開閉することができるのみならず、側面カバー体を天井カバー体に収納して一体に着脱自在にすることができる効果がある。
【図面の簡単な説明】
【図１】本発明に係るカバー体付自転車の一実施例の概略側面図。
【図２】本発明に係るカバー体付自転車の一実施例の概略背面図。
【図３】本発明に係るカバー体付自転車の一実施例の一使用態様を示す概略平面図。
【図４】本発明に係るカバー体付自転車の一実施例の一使用態様を示す概略正面図。
【図５】本発明に係るカバー体付自転車の他の一実施例の一使用態様を示す概略正面図。
【符号の説明】
１      前部カバー体
２      ハンドル軸
３      前方窓部
４      天井カバー体
５      連結軸
６      旋回アーム
７      後方窓部
８      旋回軸
９，１０    天井カバー固定具
１１    側面カバー巻取軸
１２    カバー収容蓋
１３    アームガイド溝
１４    後部カバー体
１５    前部固定部
１６    後部固定部
１７，１８    後部固定部
１９    天井カバー前フック
２０    天井カバー後フック
２１    固定ローラ
２２    折り畳みヒンジ軸
２３    固定側カバー部
２４    移動側カバー部
２５    移動ローラ
２６    スライド溝
２７，２８    操作取っ手
２９    ペダル
３０    自転車本体
３１    シャーシー
３２    座席
３３，３４    縁部
３５    側面カバー体
３６    前輪
３７    後輪
３８    ハンドル
４０    運転者
【図１】
0003557422.tif 000002
【図２】
0003557422.tif 000003
【図３】
0003557422.tif 000004
【図４】
0003557422.tif 000005
【図５】
0003557422.tif 000006